(57)【要約】      （修正有）【課題】リングに設けた装飾部とクリップの挟持片との位置関係がずれることのない装飾リングとクリップとを備えた筆記具用キャップを提供する。【解決手段】装飾リング５の挿着部５ｂに、上端が開口したスリット５ｅを軸心に沿って形成し、キャップ本体２の内部に、外周部には装飾リング５のスリット５ｅに係止させる凸部６ｆを形成し且つ上部にはクリップ基部３ａを係止させる係止受部６０を形成した内筒６を配設する。【選択図】図５
2009255323.tif 000002
【特許請求の範囲】
【請求項１】
キャップ本体の下方開口部に、前記キャップ本体の下方開口部に挿着する挿着部と該キャップ本体から露出する大径部とを形成した装飾リングを装着し、前記キャップ本体の上方開口部に、前記キャップ本体の側面に配したクリップの挟持片の上部より垂設したクリップ基部を装着し、前記装飾リングの大径部の外表面に設けた装飾部と前記クリップの挟持片との位置関係を固定した装飾リングとクリップとを備えた筆記具用キャップにおいて、前記装飾リングの挿着部に、上端が開口したスリットを軸心に沿って形成し、前記キャップ本体の内部に、外周部には前記装飾リングのスリットに係止させる凸部を形成し且つ上部には前記クリップ基部を係止させる係止受部を形成した内筒を配設することを特徴とした装飾リングとクリップとを備えた筆記具用キャップ。
【発明の詳細な説明】
【技術分野】
【０００１】
本発明は、筆記具の軸筒に装着する筆記具用キャップに関し、さらに詳しくは、装飾リングの外表面に設けた印刷や刻印などの装飾部と、キャップ本体の側面に配したクリップの挟持片との位置関係を特定し固定した構造の筆記具用キャップに関する。
【背景技術】
【０００２】
従来より、例えば特許第３８２２５１９号公報に記載があるように、キャップ本体の開口部に、飾り用のリングを装着する構造は広く普及されており、また、キャップ本体から露出された装飾リングの外表面に対して印刷や刻印などの装飾部を設けて、筆記具の装飾的価値を向上させたものも数多くある。
【０００３】
ところで、特許第３８２２５１９号公報に記載の飾りリングのように、リングの外表面の円周上に多数個の細かい模様を設けたものは、リング円周上における模様の配置が明確でないことから、軸筒に配設したクリップの挟持片と模様との位置関係は特に気にならないものであるが、例えばリングの外表面の円周上における１箇所、あるいはリングの外表面の円周上の数箇所に等間隔に印刷や刻印などの装飾部を設けた場合には、クリップの挟持片とリングの装飾部と位置関係を合わせて、見栄えをよくすることが必要になってくる。
【０００４】
そのため、キャップ本体にリングを装着する構造として、リングを回転させながら装着させる螺合構造は、螺子成形する際の精度によっては位置合わせする際に狂いが生じることから不適当であり、多くはキャップ本体に対して金輪を圧入する方法を用いたり、キャップ本体に対してリングを接着する方法が採用されている。しかしながら、キャップ本体に対してクリップの挟持片とリングの装飾部との位置関係を合わせながら、キャップ本体にリングを装着する作業は手間がかかり、特にリングが金属製の金輪である場合には、接着剤が硬化するまでは自重でずれが発生しやすいことから、次の作業工程に移行するまでに充分な放置時間を必要としていた。また、外部に露出している装飾リングは、使用時において外的要因で圧入状態や接着状態に緩みが生じやすく、結果的にリングが回転してしまい、製造工程で位置合わせを行ったクリップの挟持片とリングの装飾部との位置関係がずれてしまうという問題が生じていた。
【特許文献１】「特許第３８２２５１９号公報」
【発明の開示】
【発明が解決しようとする課題】
【０００５】
本発明はこうした問題を鑑みて、リングに設けた装飾部とクリップの挟持片との位置関係がずれることのない装飾リングとクリップとを備えた筆記具用キャップを提供することを目的とする。
【課題を解決するための手段】
【０００６】
本発明は、
「キャップ本体の下方開口部に、前記キャップ本体の下方開口部に挿着する挿着部と該キャップ本体から露出する大径部とを形成した装飾リングを装着し、前記キャップ本体の上方開口部に、前記キャップ本体の側面に配したクリップの挟持片の上部より垂設したクリップ基部を装着し、前記装飾リングの大径部の外表面に設けた装飾部と前記クリップの挟持片との位置関係を固定した装飾リングとクリップとを備えた筆記具用キャップにおいて、前記装飾リングの挿着部に、上端が開口したスリットを軸心に沿って形成し、前記キャップ本体の内部に、外周部には前記装飾リングのスリットに係止させる凸部を形成し且つ上部には前記クリップ基部を係止させる係止受部を形成した内筒を配設することを特徴とした装飾リングとクリップとを備えた筆記具用キャップ」である。
【発明の効果】
【０００７】
本発明によると、内筒の外周部に形成した凸部が装飾リングとの位置関係を規制し、内筒の上部に形成した係止受部がクリップのクリップ基部との位置関係を規制するので、組み立て時において装飾リングの装飾部とクリップの挟持片との位置関係は必然的に特定され組み立てやすく、また使用時においては、経時的に装飾リングの圧入状態や接着状態が緩んだとしても、内筒の外側部の凸部が装飾リングの挿着部のスリットに係止され、クリップのクリップ基部が内筒の係止受部に係止され固定されていることから、内筒が、装飾リングとクリップとの相対的な回転を防止させ、クリップの挟持片と装飾リングの装飾部との周方向における位置関係がずれることのないものとなる。
【発明を実施するための最良の形態】
【０００８】
キャップ本体に装着した装飾リングの装飾部とクリップの挟持片との周方向における位置関係がずれることのない構造の装飾リングとクリップとを備えた筆記具用キャップを実現した。
【実施例】
【０００９】
次に図面を参照しながら本実施例の説明を行う。本実施例の説明においては、キャップに筆記具の軸筒の筆記先端側を嵌合した際に、軸筒の筆記先端が向く側を上方と表現しその反対側を下方と表現する。図中の同じ部材、同じ部品については、同じ符号としてある。尚、本実施例では、装飾部を設けた装飾リングとして、外表面の円周上に９０度毎の位置関係で４箇所に縦長の装飾凹部を設けた金輪を採用したが、本発明は以下の実施例に限定されるものではない。
【００１０】
図１は本実施例の筆記具用キャップの斜視図である。図１に示すようにキャップ１は、キャップ本体２の側面にクリップ３を配し、キャップ本体２の上方部に頭冠４を装着してクリップ３のクリップ基部３ａを挟持し、またキャップ本体２の下方に装飾用の金輪５を装着してある。
【００１１】
図２は図１の縦断面図で、図３は図２のＡ−Ａ線端面拡大図である。図４は図２のＢ−Ｂ線端面拡大図である。図５はキャップの分解図である。図２と図４に示すように金輪５は、上下が開口するキャップ本体２の下方より露出する大径部５ａと、大径部５ａから上方に突出した小径の挿着部５ｂとを形成してあり、大径部５ａの外表面の円周上には等間隔に配置した軸心に沿った方向に長手を有する４つの装飾凹部５０を刻設してある。またキャップ本体２の内部には、下方開口部２ａ側より挿通した樹脂材からなる内筒６を配設してあり、内筒６の上方部に形成した貫通孔６ａに、中子７の上端面７ａから突設させた突設部７ｂを嵌着させると共に、内筒６の上部内方へ膨出させた段部６ｂ（図２参照）に中子７の上端面７ａを当接させ、頭冠４のフランジ部４ａの下方に形成した雄螺子部４ｂを、中子７の突設部７ｂに形成した雌螺子部７ｃに螺合させることで中子７を締め上げ、中子７の上端面７ａと頭冠４のフランジ部４ａとで、内筒６の段部６ｂと、キャップ本体２の上端に形成した内向きの鍔部２ｂとを挟持して、キャップ本体２に内筒６を固定してある。
【００１２】
図６は本実施例の筆記具用キャップの上部の構成を解りやすく示したものである。本実施例では、内筒６の上部に、クリップ基部３ａを係止させる係止受部６０を構成するＣ形状の突起部６ｃおよびその切欠部６ｄを形成してあり、クリップ基部３ａに穿孔した丸孔３ｂに、頭冠４の雄螺子部４ｂを挿通させると共に、クリップ基部３ａを内筒６の係止受部６０に係止させ、クリップ３の回転を防止させている。また、クリップ基部３ａはキャップ本体２の上端を切り欠いた切欠部２ｃにも係止させて、キャップ本体２に対してもクリップ３の回転を防止させている。
【００１３】
また、図５に示すように、キャップ本体２の下方開口部２ａに装着する金輪５は、挿着部５ｂの外周部５ｃをキャップ本体２の下方開口部２ａの内周部２ｄに隣接させ、また金輪５の挿着部５ｂおよび大径部５ａ（図２参照）の内周部５ｄを、内筒６の下方部の外周部６ｅに隣接させ、互いが隣接する面に接着剤（図示せず）を塗布して固着する。尚、本実施例では、内筒６の下方部の外周部６ｅの円周上に凸部６ｆを形成してあり、金輪５の挿着部５ｂに軸心に沿って形成した上端が開口したスリット５ｅに係止させ、金輪５の回転を防止している。
【００１４】
次に、本実施例のキャップの組立工程に関して、前述の図５および図７〜図８を用いて簡単に説明を行う。図７は本実施例のキャップの組立工程の一部を示す状態図で、図８は図７の後の工程である。本実施例では図７に示すように、前もって凸部６ｆをスリット５ｅに係止させると共に接着を行った金輪５と内筒６とを、キャップ本体２の下方開口部２ａより挿通して装着する。次いで図８に示すように、金輪５が装着された状態のキャップ本体２に対して、内筒６の空間部６ｇに中子７が収容されるよう挿通させ（図２参照）、前述した通り、クリップ３のクリップ基部３ａを、頭冠４のフランジ部４ａで挟持するよう頭冠４の雄螺子部４ｂを中子７の雌螺子部７ｃに螺合させて完成する。
【００１５】
尚、本実施例では図５に示すように、内筒６の上部に設けた係止受部６０の切欠部６ｄ位置に対して、内筒６の外周部６ｅの円周上における凸部ｆの位置を一致させており、また金輪５における挿着部５ｂに形成したスリット５ｅの位置に対して、大径部５ａに形成した装飾凹部５０の一つを一致させてあることから、組み立て時において必然的にクリップ３の挟持片３ｃと金輪５の装飾凹部５０との位置関係が特定され、またその位置関係は、クリップ３が内筒６と且つ内筒６が金輪５と係止され周方向における位置関係が特定されて固定されることから、経時的にもクリップ３の挟持片３ｃと金輪５の装飾凹部５０とが位置ずれしてしまうことのないものとなった。
【産業上の利用可能性】
【００１６】
本発明による筆記具用キャップ構造は、筆記具以外にも、化粧具や塗布具等で金輪付きのキャップに用いることが可能である。
【図面の簡単な説明】
【００１７】
【図１】本実施例の金輪付き筆記具用キャップの斜視図である。
【図２】は図１の縦断面図である。
【図３】図２のＡ−Ａ線端面拡大図である。
【図４】図２のＢ−Ｂ線端面拡大図である。
【図５】キャップの分解図である。
【図６】本実施例の筆記具用キャップの上部の構成を示す図である。
【図７】本実施例のキャップの組立工程の一部を示す状態図である。
【図８】図７の後の工程である。
【符号の説明】
【００１８】
１…キャップ、
２…キャップ本体、２ａ…下方開口部、２ｂ…鍔部、２ｃ…切欠部、
２ｄ…内周部、
３…クリップ、３ａ…基部、３ｂ…丸孔、３ｃ…挟持片、
４…頭冠、４ａ…フランジ部、４ｂ…雄螺子部、
５…金輪、５ａ…大径部、５ｂ…挿着部、５ｃ…外周部、５ｄ…内周部、
５ｅ…スリット、５０…装飾凹部、
６…内筒、６ａ…貫通孔、６ｂ…段部、６ｃ…突起部、６ｄ…切欠部、
６ｅ…外周部、６ｆ…凸部、６ｇ…空間部、６０…係止受部、
７…中子、７ａ…上端面、７ｂ…突設部、７ｃ…雌螺子部。
【図１】
2009255323.tif 000003
【図２】
2009255323.tif 000004
【図３】
2009255323.tif 000005
【図４】
2009255323.tif 000006
【図５】
2009255323.tif 000007
【図６】
2009255323.tif 000008
【図７】
2009255323.tif 000009
【図８】
2009255323.tif 000010